(57)【特許請求の範囲】
【請求項１】
下側型枠支持部と、前記下側型枠支持部に支持されるように構成されたアダプタとを含む型枠支持構造であって、
前記下側型枠支持部は、１個の垂直支持体と、前記１個の垂直支持体から上向きに延びる複数の上向きフィンガ部を画定するクラウンとを含み、
前記アダプタは、
前記下側型枠支持部に対して前記アダプタを位置付けするための略箱形状の取り付け部と、
前記取り付け部の上に支持されている上側型枠支持部とを備え、
前記取り付け部は、前記クラウンの前記フィンガ部の間に入れ子状に入るように適合されることを特徴とする型枠支持構造。
【請求項２】
請求項１に記載の型枠支持構造であって、
前記下側型枠支持部が、型枠の直接の支持体を提供するように適合されることを特徴とする型枠支持構造。
【請求項３】
請求項１または２に記載の型枠支持構造であって、
前記下側型枠支持部が、型枠パネルの直接的な支持を提供するように適合されることを特徴とする型枠支持構造。
【請求項４】
請求項１に記載の型枠支持構造であって、
前記上側型枠支持部は、型枠パネルの間接的な支持を提供するように適合されることを特徴とする型枠支持構造。
【請求項５】
請求項１〜４のいずれか一項に記載の型枠支持構造であって、
前記上側型枠支持部は、型枠のベアラのためのＵ字形状の支持部であることを特徴とする型枠支持構造。
【請求項６】
請求項１〜５のいずれか一項に記載の型枠支持構造であって、
前記取り付け部は、前記下側型枠支持部に対して前記アダプタを固定するための固定手段を含むことを特徴とする型枠支持構造。
【請求項７】
請求項５に記載の型枠支持構造であって、
前記上側型枠支持部が、ベース部と、複数の上向きに延びるベアラガイドとを備えることを特徴とする型枠支持構造。
【請求項８】
請求項１に記載の型枠支持構造であって、
前記下側型枠支持部が、型枠の間接的な支持を提供するように適合されることを特徴とする型枠支持構造。
【請求項９】
請求項８に記載の型枠支持構造であって、
前記上側型枠支持部が、型枠の直接的な支持を提供するように適合されることを特徴とする型枠支持構造。
【請求項１０】
請求項８または９に記載の型枠支持構造であって、
前記下側型枠支持部は、型枠のベアラのための支持部であることを特徴とする型枠支持構造。
【請求項１１】
型枠パネル支持体であって、１個の垂直支持体と、前記１個の垂直支持体から上向きに延びる複数の上向きフィンガ部を画定するクラウンとを含む、該型枠パネル支持体を含むクラウンタイプの型枠支持構造のためのアダプタであって、
前記クラウンに対して前記アダプタを位置付けするための取り付け部を備え、  前記取り付け部は、それぞれ互いに反対側に位置する一対の側壁と一対の端部壁とを含む略箱形状を有し、前記一対の端部壁は、前記一対の側壁より長く、前記側壁より低い位置まで延び、
前記取り付け部は、前記クラウンに取り付けられるとき前記クラウンの前記フィンガ部の間に入れ子状に入るように適合され、
前記取り付け部は更に、前記一対の端部壁の各々の上に、前記取り付け部を前記型枠パネル支持体に固定するための固定手段を含むことを特徴とするアダプタ。
【発明の詳細な説明】
【技術分野】
【０００１】
本出願は、２０１４年３月４日を出願日とする「A FRAMEWORK BEARER SUPPORT BRACKET」というタイトルのオーストラリア特許仮出願第２０１４９００７２１号を基礎とする優先権を主張するものであり、この出願の内容は、引用により本明細書の一部とする。
次の同時係属出願は、以下の明細書の記載中で参照される。
・オーストラリア特許仮出願第２０１２９０３３１２号を基礎とする優先権を主張し、２０１３年８月２日を国際出願日とする「FORMWORK SUPPORT ELEMENT」というタイトルの国際特許出願ＰＣＴ／ＡＵ２０１３／０００８５５。
この出願の内容は、引用により本発明の一部とする。
本発明は、コンクリート型枠に関する。本発明は、特定の形態として、コンクリート型枠支持構造のためのアダプタに関する。
【背景技術】
【０００２】
建物の建設中に、コンクリート建築物においては型枠が用いられ、この型枠は、例えば床スラブや梁等の要素の形成のために濡れた状態のコンクリートを流し込むことができる型または表面を提供する。床スラブの場合、複数階の建物の床が連続して形成されること、及びその後により高い階を形成するために前の床の上に型枠が配置されることが一般的である。
【０００３】
通常、フレームワークすなわち足場が、ロスト（すなわち再利用できない）型枠、またはひとたびコンクリートが硬化されたときコンクリートスラブから取り外され、再利用され得る型枠のいずれかを含む立設型を支持するために用いられる。再使用可能な型枠は、足場の最上部で支持されるアルミニウムの型枠パンを含み得る。或いは、ベアラ（bearer）上に支持されるシートまたはボードをフレームワークの上で用いてもよい。
【０００４】
アルミニウム製の型枠パンは、通常は平坦な矩形の形状であり、型枠表面から下向きに延びるリップ部または縁部を有する。これらのアルミニウム製パンは、足場直立部または支柱の上に位置し１つの垂直支持体から延び、４つの上向きのフィンガ部を有する「クラウン」フォークを介して支持され得、この場合４つのフィンガ部の各々が４つの隣接するアルミニウム製パンの角部を支持する。これらのクラウンは、これらのアルミニウム製型枠パン以外のあらゆるものを支持するためには装備が不十分である。
【０００５】
本発明は、このような背景及びそれに関連する問題や課題に対して開発されたものである。
【０００６】
本発明の一定の目的及び利点は、例示の目的で本発明の実施形態が開示された、添付の図面を参照した後述の説明からより明白となろう。
【先行技術文献】
【特許文献】
【０００７】
【特許文献１】国際公開第２０１４／０１９０２９号
【発明の概要】
【課題を解決するための手段】
【０００８】
本発明の第１の態様によれば、第１のタイプの型枠支持部（下側型枠支持部）を含む型枠支持構造のためのアダプタであって、前記第１のタイプの型枠支持部に対して前記アダプタを位置付けするための取り付け部を備え、前記取り付け部は、第２のタイプの型枠支持部（上側型枠支持部）を支持することを特徴とするアダプタと、前記第１のタイプの型枠支持部（下側型枠支持部）と前記アダプタを含む型枠支持構造とが提供される。
【０００９】
一形態では、型枠支持部の一方または両方が、メス型支持部である。すなわち、両支持部が、型枠の対応する部分（すなわちベアラ）がぴったりと入れられる凹部であるか、そのような凹部を有する。
【００１０】
一形態では、型枠支持部の一方または両方が、オス型支持部である。すなわち、両支持部が、型枠の対応する開口または凹部（すなわちベアラ）にぴったりと入るように作られた部分であるか、そのような部分を有する。
【００１１】
一形態では、前記第１のタイプの型枠支持部が、型枠の直接の支持体を提供するように適合される。
【００１２】
一形態では、前記第１のタイプの型枠支持部が、クラウンと称する１個の垂直支持体から延びる複数の上向きフィンガ部を含むものである。
【００１３】
一形態では、前記取り付け部は、前記クラウンの前記フィンガ部の間に入れ子状に入るように適合される。
【００１４】
一形態では、前記第２のタイプの型枠支持部は、型枠パネルの間接的な支持を提供するように適合される。一形態では、前記第２のタイプの型枠支持部は、型枠のためのベアラの支持部を提供するように適合される。一形態では、前記第２のタイプの型枠支持部は、ベアラを入れ子状に受容する形状にすることによって、そのように適合される。
【００１５】
一形態では、前記第２のタイプの型枠支持部が、ベース部と、複数の上向きに延びるベアラガイドとを備える。
【００１６】
一形態では、前記第２のタイプの型枠支持部が、概ねＵ字形状を有する。
【００１７】
一形態では、前記取り付け部は、前記第１のタイプの型枠支持部に対して前記アダプタを固定するための固定手段を含む。この固定手段は、ファスナ、（クイックリリースクランプを含む）クランプ、ピン（バネ仕掛けのピンを含む）、またはねじ接続のなかの１つ以上を含み得るが、これらの限定されるものと考えるべきではない。
【００１８】
一形態では、前記第１のタイプの型枠支持部は、少なくとも前記第１のタイプの型枠支持部に対する前記取り付け部の位置付けの安定の効果を発揮させるべく、前記アダプタの前記取り付け部と協働するように適合される。前記第１のタイプの型枠支持部は、前記取り付け部を入れ子状に受容する形状にすること、及び／または前記取り付け部を配置するための特徴（限定しないが、突起、ピン、またはショルダ部）を含めることによって、そのように適合され得る。
【００１９】
一形態では、前記第１のタイプの型枠支持部は、前記第１のタイプの型枠支持部に対して前記取り付け部を固定する効果を発揮させるべく、前記アダプタの前記取り付け部と協働するように適合される。前記第１のタイプの型枠支持部は、それを所定の形状にすること、及び／または前記固定手段を協働する特徴を含めることによって、そのように適合され得る。
【００２０】
本発明の第２の態様では、型枠支持構造のためのアダプタであって、垂直支持体であるクラウンに対して前記アダプタを位置付けするための取り付け部を備え、前記取り付け部は、ベアラ支持部を支持することを特徴とするアダプタが提供される。
【００２１】
本発明の第３の態様では、フレームワークベアラ支持ブラケットであって、型枠支持体に対して前記型枠ベアラ支持ブラケットを位置付けするための取り付け部を備え、前記取り付け部は、ベアラ支持部を支持することを特徴とする型枠ベアラ支持ブラケットが提供される。
【００２２】
本発明の第４の態様では、第１のタイプの型枠支持部を含む型枠支持組立体であって、アダプタであって、前記第１のタイプの型枠支持部に対して前記アダプタを位置付けするための取り付け部を備える、該アダプタを備え、前記取り付け部は、第２のタイプの型枠支持部を支持することを特徴とするアダプタが提供される。
【００２３】
一形態では、前記第１のタイプの型枠支持部と前記アダプタとが、少なくとも前記第１のタイプの型枠支持部に対する前記取り付け部の位置付けの安定の効果を発揮させるように、機能可能に関連付けられる。
【００２４】
本発明の更に別の態様では、前記型枠支持部に対するアダプタの取り付け部の位置付けの安定の効果を発揮させるべく適合された型枠支持部であって、前記取り付け部が別のタイプの型枠支持部を支持することを特徴とする型枠支持部が提供される。
【００２５】
本発明の更に別の態様では、ベアラ支持部のためのアダプタであって、前記ベアラ支持部に対して前記アダプタを位置付けするための取り付け部を備え、前記取り付け部は、垂直支持体であるクラウンを支持することを特徴とするアダプタが提供される。
【００２６】
以下、本発明の原理を例示する本発明の１以上の実施形態を、添付の図面とともに説明する。本発明をそのような実施形態に関連して説明するが、本発明はそれらのいずれの実施形態にも限定されないことを理解されたい。むしろ、本発明は、特許請求の範囲の請求項によってのみ限定され、その発明は、多くの代替形態、改変形態、及び均等物を包含する。本発明について完全な理解を与えるために、例示の目的で、多くの具体的な詳細について以下に記載する。
【００２７】
本発明は、特定の細部の特徴の一部または全てを含むことなく、特許請求の範囲により実施することができる。明確化のため、本発明に関連する技術分野で既知の技術的な内容は、本明細書中には詳細には記さず、本発明が不必要に不明確にならないようにてある。
【００２８】
本発明の実施形態は、添付の図面を参照して後述する。
【図面の簡単な説明】
【００２９】
【図１】第１のタイプの型枠支持体（この場合はクラウン）上に取り付けられたアダプタの斜視図である。
【図２】ベアラを支持している、使用時の図１のアダプタの側面図である。
【図３】ベアラを支持している、使用時の図１のアダプタの端面図である。
【図４】アダプタ担体の側面図である。
【図５】図４のアダプタの端面図である。
【図６】図４のアダプタの下面図である。
【図７】図４のアダプタ単体の（ベアラのための）支持部の側面図である。
【図８】図７の支持部の端面図である。
【図９】図７の支持部の底下図である。
【図１０】図４のアダプタ単体の取り付け部の側面図である。
【図１１】図１０の取り付け部の側面図である。
【図１２】図１０の取り付け部の側面図である。
【図１３】図１０の取り付け部の上面図である。
【図１４】図１のアダプタ及び型枠支持体の側面斜視図である。
【発明を実施するための形態】
【００３０】
以下の説明において、図面全体において類似のまたは対応する部品には類似の参照符合を付す。
【００３１】
図１〜図３を参照すると、ＰＣＴ／ＡＵ２０１３／０００８５５（国際公開第２０１４／０１９０２９号（特許文献１））に記載されたタイプの足場構造の直立部または「支柱」１００の上側部分が図示されている。
【００３２】
最上端部において、支柱１００はクラウン１１０を支持し、このクラウン１１０は、ネック部１１１及び４つの上向きのフィンガ部１１２を有するフォーク形要素である。意図した通りに使用される場合、各フィンガ部１１２は、型枠パネル（図示せず）の角部を支持する。更に、クラウン１１０は、一般的には、クラウン１１０が支柱１００に対して昇降できるように支柱１００の最上部のねじジャッキ（図示せず）上に支持される。
【００３３】
クラウン１１０は、使用時に型枠シート（図示せず）を支持する、支持ベアラ１２０（一般的には木材の梁）にはよく適合していない。この場合、アダプタ１を用いることができる。
【００３４】
図１〜図５を参照すると、アダプタ１が、取り付け部１０と、支持部２０を備えることが図示されている。
【００３５】
図示された実施形態では、取り付け部１０が、アダプタ１をクラウン１１０に取り付けるために適合されている。従って、取り付け部１０は、一般的には箱形状を有しており、一対の側壁１２と一対の端部壁１４を備える。ここで図１４を参照すると、取り付け部１０は、クラウン１１０によって提供されるプラットフォーム１１４の上に載置されており、クラウン１１０のフィンガ部１１２とガイド突起１１６との間にしっかりと入れ子状に入るサイズとされている。端部壁１４は、側壁１２より長く、また側壁１２より低く、またネック部１１１のいずれかの側において、クラウン１１０のフィンガ部１１２の下のレベルまで延びている。各側壁１２はボルト１６と組になったナット１５を有し、ボルトはナットのなかに螺合され、ボルト１６のシャンクの端部をクラウン１１０のネック部に接触するように動かすことによって、アダプタ１をクラウン１１０上に固定する。
【００３６】
取り付け部１０の最上に支持されているのは支持部２０であり、この支持部は、ベースプレート２２と、４つの上向きに延びるベアラガイド２４とを備える支持ブラケットの形態を有し、４つの垂直に延びるベアラガイドは２対の対向するベアラガイド２４に配置されている。
【００３７】
使用に際しては、アダプタ１の取り付け部１０を、上述のようにクラウン１１０のガイド突起１１６とフィンガ部１１２との間のプラットフォーム１１４上に配置し、ボルト１６を締める。次に、ベアラ１２０を、支持ブラケットのベースプレート２２の上でベアラガイド２４の間に配置することができる。ベアラガイド２４は、ベースプレート２２からベアラ１２０が滑り落ちるのを防止する役目を果たす。型枠のシート（一般的には合板）が、ベアラ１２０上に支持され得ることになる。
【００３８】
型枠パネル（ベアラのないもの）が、支柱１００上に支持されることになる場合には、ボルト１６は、アダプタ１がクラウン１１０から取り外し可能となるまで緩めた状態とされる。
【００３９】
図示されている実施形態では、クラウン１１０は鋳造部品であり、アダプタ１は組み立てられたものであるが、これらの部品は、このような製造方法で製造されたものに限定されない。
【００４０】
代替的実施形態では、アダプタは、上述のものと逆の構成、すなわち、ベアラまたはベアラ支持部のいずれかに対して配置されるように適合された取り付け部と、複数の型枠パネルを支持するためのクラウンとを有する構成とすることもできる。
【００４１】
本明細書及び特許請求の範囲の全体において、文脈上別の解釈が必要とならない限り、用語「含む／有する」、「備える」及びその活用形は、記載された整数または整数の群の個数を有することを暗示しているが、他の整数または整数の群の場合を排除するものではないことを理解されたい。
【００４２】
本明細書中に記載されたあらゆる従来技術に対する参照は、そのような従来技術が技術常識の一部を形成することの示唆を認めるものとして解釈されないものか、またはそのようなものとして解釈されるべきではない。
【００４３】
本発明が、上述の特定の用途における使用に限定されないことは当業者には理解されよう。本発明は、本明細書に記載された特定の要素及び／または特徴に関するその好ましい実施形態に制限されるものではない。本発明は、ここに開示した実施形態に限定されず、特許請求の範囲の請求項によって特定される発明の精神を逸脱することなく、多種の再構成、改変、及び代替的形態を含めて実施可能であることは理解されよう。
【図１】
0006573625.tif 000002
【図２】
0006573625.tif 000003
【図３】
0006573625.tif 000004
【図４】
0006573625.tif 000005
【図５】
0006573625.tif 000006
【図６】
0006573625.tif 000007
【図７】
0006573625.tif 000008
【図８】
0006573625.tif 000009
【図９】
0006573625.tif 000010
【図１０】
0006573625.tif 000011
【図１１】
0006573625.tif 000012
【図１２】
0006573625.tif 000013
【図１３】
0006573625.tif 000014
【図１４】
0006573625.tif 000015